(57)【要約】      （修正有）【課題】アーチファクトを容易に除去できるＭＲＩシステムを提供する。【解決手段】コイル感度分布データ決定部４４１は、コイル感度分布データが収集済みである場合、操作者２９の操作に応じて、画像のアーチファクトの除去に、収集済みのコイル感度分布データを用いるか、新たなコイル感度分布データを用いるかを決定する。コイル感度分布データ決定部４４１は、新たなコイル感度分布データを用いると決定した場合、新たなコイル感度分布データを収集する命令をＭＲ装置制御手段２１に送る。アーチファクト除去部４４２は、収集済みのコイル感度分布データ又は新たなコイル感度分布データを用いて、アーチファクトを除去する。【選択図】図２
2010005232.tif 000002
【特許請求の範囲】
【請求項１】
被検体からデータを収集し、収集したデータから画像を再構成するＭＲＩシステムであって、
前記被検体からデータを収集するデータ収集手段と、
前記データ収集手段によってコイル感度分布データが収集済みの場合、操作者の操作に応じて、収集済みのコイル感度分布データを用いて前記画像のアーチファクトを除去するアーチファクト除去手段と、
を有するＭＲＩシステム。
【請求項２】
前記アーチファクト除去手段は、
前記操作者の操作に応じて、新たなコイル感度分布データを収集することを決定する、請求項１に記載のＭＲＩシステム。
【請求項３】
前記アーチファクト除去手段が前記新たなコイル感度分布データを収集すると決定した場合、前記データ収集手段が前記新たなコイル感度分布データを収集するように前記データ収集手段を制御するデータ収集制御手段、
を有する請求項２に記載のＭＲＩシステム。
【請求項４】
前記アーチファクト除去手段は、
前記新たなコイル感度分布データが収集された場合、前記新たなコイル感度分布データを用いて画像のアーチファクトを除去する、請求項３に記載のＭＲＩシステム。
【請求項５】
表示手段と、
再構成された画像が前記表示手段に表示されるように、前記表示手段を制御する表示制御手段と、
を有する請求項１〜４のうちのいずれか一項に記載のＭＲＩシステム。
【請求項６】
前記表示制御手段は、前記表示手段に、アーチファクトが除去された前記画像が表示されるように、前記表示手段を制御する、請求項５に記載のＭＲＩシステム。
【請求項７】
被検体からデータを収集し、収集したデータから画像を再構成するＭＲＩシステムであって、
前記被検体からデータを収集するデータ収集手段と、
前記データ収集手段によってコイル感度分布データが収集されていない場合、操作者の操作に応じて、前記データ収集手段がコイル感度分布データを収集するようにデータ収集手段を制御するデータ収集制御手段と、
前記データ収集制御手段が収集したコイル感度分布データを用いて前記画像のアーチファクトを除去するアーチファクト除去手段と、
を有するＭＲＩシステム。
【請求項８】
前記アーチファクトは、折返しアーチファクトである、請求項１〜７のうちのいずれか一項に記載のＭＲＩシステム。
【請求項９】
前記アーチファクトは、体動アーチファクトである、請求項１〜７のうちのいずれか一項に記載のＭＲＩシステム。
【発明の詳細な説明】
【技術分野】
【０００１】
本発明は、アーチファクトを除去することが可能なＭＲＩ（Magnetic
Resonance Imaging）システムに関する。
【背景技術】
【０００２】
従来より、折返しアーチファクトを防止する幾つかの方法が知られている。（特許文献１参照）。
【特許文献１】特開09-000508号公報
【発明の開示】
【発明が解決しようとする課題】
【０００３】
しかし、特開09-000508号公報の方法を用いても、オペレータが設定ミスなどをしてしまうと、折返しアーチファクトが生じることがある。折り返しが発生した場合、従来では、再度撮影を行っており、患者やオペレータに負担が掛かるという問題がある。
【０００４】
本発明は、上記の事情に鑑み、アーチファクトを容易に除去できるＭＲＩシステムを提供することを目的とする。
【課題を解決するための手段】
【０００５】
上記の問題を解決する本発明の第１のＭＲＩシステムは、
被検体からデータを収集し、収集したデータから画像を再構成するＭＲＩシステムであって、
上記被検体からデータを収集するデータ収集手段と、
上記データ収集手段によってコイル感度分布データが収集済みの場合、操作者の操作に応じて、収集済みのコイル感度分布データを用いて上記画像のアーチファクトを除去するアーチファクト除去手段と、
を有している。
また、本発明の第２のＭＲＩシステムは、
被検体からデータを収集し、収集したデータから画像を再構成するＭＲＩシステムであって、
上記被検体からデータを収集するデータ収集手段と、
上記データ収集手段によってコイル感度分布データが収集されていない場合、操作者の操作に応じて、上記データ収集手段がコイル感度分布データを収集するようにデータ収集手段を制御するデータ収集制御手段と、
上記データ収集制御手段が収集したコイル感度分布データを用いて上記画像のアーチファクトを除去するアーチファクト除去手段と、
を有している。
【発明の効果】
【０００６】
本発明では、操作者が、収集済みのコイル感度分布データを用いて画像のアーチファクトを除去できると判断した場合、収集済みのコイル感度分布データを用いることにより、画像のアーチファクトが除去される。また、コイル感度分布データが収集されていない場合は、コイル感度分布データを収集し、収集したコイル感度分布データを用いることにより、画像のアーチファクトが除去される。したがって、本スキャンをやり直す必要がなく、アーチファクトの除去された画像を容易に得ることができる。
【発明を実施するための最良の形態】
【０００７】
以下、図面を参照しながら、発明を実施するための最良の形態を詳細に説明する。尚、本発明は、発明を実施するための最良の形態に限定されるものではない。
【０００８】
図１は、本発明の第１の実施形態のＭＲＩシステム１のブロック図である。
【０００９】
ＭＲＩシステム１は、ＭＲ装置１０（データ収集手段の一例）と、制御装置２０と、操作装置３０とを有している。
【００１０】
ＭＲ（Magnetic Resonance）装置１０は、マルチプル受信コイル１２を有している。ＭＲ装置１０は、マルチプル受信コイル１２を用いて被検体１１の頭部１１ａからデータを収集し、収集したデータを制御装置２０に送る。
【００１１】
制御装置２０は、ＭＲ装置１０の動作を制御するＭＲ装置制御手段２１と、ＭＲ装置１０からのデータを処理し、画像を再構成するデータ処理手段２２とを有している。再構成された画像は、操作装置３０に送られる。
【００１２】
操作装置３０は、制御装置２０に命令を送ったり、画像にアーチファクトが発生した場合、操作者２９の操作に応じて、アーチファクトを除去する処理を行う。操作装置３０は、モニタ３１と、キーボード３２と、マウス３３と、操作部３４とを有している。
【００１３】
図２は、操作部３４の機能ブロックを示す図である。
【００１４】
操作部３４は、アーチファクト除去手段４４と、表示制御手段４５とを有している。アーチファクト除去手段４４は、コイル感度分布データ決定部４４１と、アーチファクト除去部４４２とを有している。
【００１５】
コイル感度分布データ決定部４４１は、ＭＲ装置１０によってコイル感度分布データが収集済みの場合、操作者２９の操作に応じて、画像のアーチファクトの除去に、収集済みのコイル感度分布データを用いるのか、新たなコイル感度分布を用いるのかを決定する。コイル感度分布データ決定部４４１は、新たなコイル感度分布データを用いると決定した場合、新たなコイル感度分布データを収集する命令をＭＲ装置制御手段２１に送る。
【００１６】
また、コイル感度分布データ決定部４４１は、コイル感度分布データが収集されていない場合、操作者２９の操作に応じて、コイル感度分布データを収集することを決定する。コイル感度分布データ決定部４４１は、コイル感度分布データを収集すると決定した場合、コイル感度分布データを収集する命令をＭＲ装置制御手段２１に送る。
【００１７】
アーチファクト除去部４４２は、コイル感度分布データ決定部４４１が収集済みのコイル感度分布データを用いると決定した場合、収集済みのコイル感度分布データを用いて画像のアーチファクトを除去する。また、アーチファクト除去部４４２は、新たなコイル感度分布データが収集された場合、新たなコイル感度分布データを用いて画像のアーチファクトを除去する。
【００１８】
表示制御手段４５は、データ処理手段２２で再構成された画像や、アーチファクトが除去された画像がモニタ３１に表示されるように、モニタ３１を制御する。
【００１９】
上記のように構成されたＭＲＩシステム１によって、画像のアーチファクトを容易に除去することができる。次に、ＭＲＩシステム１が画像に発生したアーチファクトをどのように除去するかについて説明する。
【００２０】
図３は、ＭＲＩシステム１の処理フローを示す図である。
【００２１】
ステップＳ１１では、被検体１１の頭部１１ａからデータを収集する前に、頭部１１ａのデータに空間感度分布に応じた重付けを行うためのコイル感度分布データを収集する。
【００２２】
図４は、コイル感度分布データの収集範囲を概略的に示す図である。
【００２３】
撮像領域ＦＯＶ１は、被検体１１の頭部１１ａが収まるように設定されている。コイル感度分布データの収集範囲Ｆcoilは、撮像領域ＦＯＶ１内において空間感度分布に応じた重付けを確実に行うことができるように、撮像領域ＦＯＶ１よりも広範囲に設定されている。ＭＲ装置制御手段２１（図１および図２参照）は、コイル感度分布データの収集範囲Ｆcoilからコイル感度分布データが収集されるように、ＭＲ装置１０を制御する。コイル感度分布データを収集した後、ステップＳ１２に進む。
【００２４】
ステップＳ１２では、被検体１１の頭部１１ａからデータが収集されるように、ＭＲ装置制御手段２１がＭＲ装置１０を制御する。被検体１１の頭部１１ａのデータは、マルチプル受信コイル１２によって収集され、制御装置２０のデータ処理手段２２に送られる。データ処理手段２２は、マルチプル受信コイル１２からのデータを処理し、画像を再構成する。画像が再構成された後、ステップＳ１３に進む。
【００２５】
ステップＳ１３では、表示制御手段４５（図２参照）が、モニタ３１に再構成画像が表示されるように、モニタ３１を制御する。
【００２６】
図５は、モニタ３１の表示画面３１０に表示された画像の一例を示す図である。
【００２７】
モニタ３１の表示画面３１０の右側には、画像３１１が表示されており、表示画面３１０の左側には、２つのボタン３１２および３１３が表示される。図５に示すような画面が表示された後、ステップＳ１４に進む。
【００２８】
操作者２９は、表示された画像３１１（図５参照）を見て、アーチファクトが発生しているかどうかを確認する。操作者２９が、アーチファクトが発生しているのでアーチファクトを除去したいと考えた場合、アーチファクトを除去する処理が実行できるように、画像３１１の左側にはアーチファクト除去実行ボタン３１２が表示される。操作者２９がマウス３３の操作でアーチファクト除去実行ボタン３１２をクリックすると、アーチファクトの除去に必要な動作が実行される。一方、操作者２９がアーチファクト除去実行ボタン３１２をクリックしない場合、ステップＳ１５に進み、キャンセルボタン３１３がクリックされたか否かが判断される。操作者２９は、アーチファクトの除去が不要であると判断した場合は、キャンセルボタン３１３をクリックする。キャンセルボタン３１３がクリックされると、プログラムは終了する。したがって、アーチファクト除去実行ボタン３１２又はキャンセルボタン３１３がクリックされるまでは、ステップＳ１４とＳ１５のループが繰り返し実行される。
【００２９】
図５に示す画像３１１を参照すると、画像３１１には、アーチファクトは発生していない。したがって、操作者２９は、アーチファクトを除去する処理は不要であると判断し、キャンセルボタン３１３をクリックする。したがって、プログラムが終了する。
【００３０】
図５に示す画像３１１では、被検体１１の頭部１１ａが、撮影領域ＦＯＶ１（図４参照）に収まっている。しかし、例えば、操作者２９の設定ミスなどが原因で、撮影領域がＦＯＶ１ではなく、ＦＯＶ２（図４参照）に設定されていた場合、画像にアーチファクトが発生する。
【００３１】
図６は、撮影領域がＦＯＶ２に設定された場合に表示画面３１０に表示される画像４１１を示す図である。
【００３２】
図６を参照すると、画像４１１に折返しアーチファクト４１１ａが発生している。この場合、操作者２９は、折返しアーチファクト４１１ａを除去する処理が必要であると判断し、アーチファクト除去実行ボタン３１２をクリックする。操作者２９がアーチファクト除去実行ボタン３１２をクリックすると、ステップＳ１６に進み、表示制御手段４５（図２参照）の制御によって、モニタ３１は以下のような画面を表示する（図７参照）。
【００３３】
図７は、アーチファクト除去実行ボタン３１２（図６参照）がクリックされた場合にモニタ３１が表示する表示画面３１０を示す図である。
【００３４】
表示画面３１０には、コイル感度分布データが収集済みであることを意味する収集済みボタン３１４と、コイル感度分布データが収集されていないことを意味する未収集ボタン３１５とが表示される。図７に示す画面が表示された後ステップＳ１７に進む。
【００３５】
ステップＳ１７では、操作者２９は、収集済みボタン３１４か未収集ボタン３１５をクリックする。本実施形態では、ステップＳ１１でコイル感度分布データが既に収集されている。したがって、操作者２９は、収集済みボタン３１４をクリックする。収集済みボタン３１４がクリックされると、ステップＳ１８に進む。
【００３６】
ステップＳ１８では、表示制御手段４５（図２参照）が、モニタ３１に以下のような画面を表示する（図８参照）。
【００３７】
図８は、収集済みボタン３１４（図７参照）がクリックされた場合にモニタ３１が表示する表示画面３１０を示す図である。
【００３８】
表示画面３１０には、２つのボタン３１６および３１７が表示される。ボタン３１６は、収集済みのコイル感度分布データを用いてアーチファクトを除去することを意味するボタンである。一方、ボタン３１７は、新たにコイル感度分布データを収集し、収集した新たなコイル感度分布を用いてアーチファクトを除去することを意味するボタンである。図８に示す画面が表示された後ステップＳ１９に進む。
【００３９】
操作者２９は、収集済みのコイル感度分布データを用いてアーチファクト４１１ａを除去するのか、新たにコイル感度分布データを収集し、収集した新たなコイル感度分布を用いてアーチファクト４１１ａを除去するのかを判断する。操作者２９は、収集済みのコイル感度分布データを用いてアーチファクト４１１ａを除去すると判断した場合、ボタン３１６をクリックする。一方、操作者２９は、新たにコイル感度分布データを収集し、収集した新たなコイル感度分布を用いてアーチファクト４１１ａを除去すると判断した場合、ボタン３１７をクリックする。
【００４０】
図８の表示画面３１０に表示されている画像４１１に発生しているアーチファクトは、折返しアーチファクト４１１ａである。折返しアーチファクト４１１ａは、ステップＳ１１で既に収集したコイル感度分布データを用いて除去することができる。したがって、操作者２９は、収集済みのコイル感度分布データを用いてアーチファクト４１１ａを除去すると判断し、ボタン３１６をクリックする。ボタン３１６がクリックされると、ステップＳ１９から、ステップＳ２１に進む。
【００４１】
ステップＳ２１では、コイル感度分布データ決定部４４１（図２参照）は、ボタン３１６がクリックされたことに応答して、アーチファクト除去部４４２（図２参照）に、収集済みのコイル感度分布データを用いて画像のアーチファクトを除去する命令を送る。アーチファクト除去部４４２は、この命令に応答して、ステップＳ１１で収集済みのコイル感度分布データを用いて画像４１１の折返しアーチファクト４１１ａを除去する。コイル感度分布データを用いて折返しアーチファクト４１１ａを除去する演算方法は、既知の技術であるので、この演算方法についての説明は省略する。アーチファクト除去部４４２の演算処理によって、画像４１１から、折返しアーチファクト４１１ａが除去される。
【００４２】
尚、上記の説明では、ステップＳ１１において、既にコイル感度分布データが収集されているので、ステップＳ１７において、操作者２９は、収集済みボタン３１４（図７参照）をクリックしている。しかし、ステップＳ１１が実行されていない場合は、ステップＳ１７において、操作者２９は、未収集ボタン３１５（図７参照）をクリックする。未収集ボタン３１５がクリックされると、ステップＳ１７から、ステップＳ２４に進む。ステップＳ２４では、モニタ３１に、コイル感度分布データの収集範囲Ｆcoil（図４参照）を設定するのに必要なパラメータ入力画面が表示される。操作者２９は、パラメータ入力画面に必要なパラメータ値を入力し、その後、コイル感度分布データを収集する命令をＭＲ装置制御手段２１に送る。したがって、ステップＳ２４において、コイル感度分布データが収集される。コイル感度分布データが収集されると、ステップＳ２４から、ステップＳ２１に進み、アーチファクト除去部４４２（図２参照）は、ステップＳ２４で収集したコイル感度分布データを用いて、画像４１１から折返しアーチファクト４１１ａを除去する。したがって、ステップＳ１７において、収集済みボタン３１４と未収集ボタン３１５のいずれのボタンがクリックされても、画像４１１から折返しアーチファクト４１１ａが除去される。
【００４３】
画像４１１から折返しアーチファクト４１１ａが除去された後、ステップＳ２２に進む。
【００４４】
ステップＳ２２では、表示制御手段４５（図２参照）の制御によって、モニタ３１は、折返しアーチファクト４１１ａが除去された画像を表示する（図９参照）。
【００４５】
図９は、折返しアーチファクト４１１ａが除去された画像４１１’を表示するモニタ３１の表示画面３１０の一例を示す図である。
【００４６】
折返しアーチファクト４１１ａが除去された画像４１１’の左側には、次の撮影を続行するための撮影続行ボタン３１８と、撮影を終了する終了ボタン３１９とが表示される。図９の画面が表示された後、ステップＳ２３に進む。
【００４７】
操作者２９は、撮影を続行するか、それとも撮影を終了するかを判断する。操作者２９は、撮影を続行すると判断した場合、撮影続行ボタン３１８をクリックする。撮影続行ボタン３１８がクリックされると、ステップＳ１１に戻る。一方、操作者２９は、撮影を終了すると判断した場合、終了ボタン３１９をクリックする。終了ボタン３１９がクリックされると、プログラムが終了する。
【００４８】
上記のように、画像４１１に発生した折返しアーチファクト４１１ａ（図６参照）は、収集済みのコイル感度分布データを用いて除去される。したがって、本スキャン（ステップＳ１２）を再度行わなくても、折返しアーチファクト４１１ａが除去された画像４１１’を得ることができ、本スキャンを再度行う手間を省くことができる。
【００４９】
尚、近年、コイル感度分布データを用いて折返しを除去する方法として、Parallel Imaging法が普及している。Parallel Imaging法では、ｋ空間上のデータ間隔を間引くことが原因で発生する折返しを、コイル感度分布データを用いて除去しているが、Parallel Imaging法で撮影しても、撮影中に被検体が動くことが原因で、画像にアーチファクトが発生することがある。本発明は、撮影中に被検体が動くことが原因で画像に発生するアーチファクトを除去することもできる。以下では、Parallel Imaging法で撮影する場合に、被検体が動くことが原因で画像に発生したアーチファクトをどのように除去するかについて、図３に示すフローチャートを参照しながら説明する。
【００５０】
先ず、ステップＳ１１において、コイル感度分布データを収集する。
【００５１】
図１０は、ステップＳ１１でコイル感度分布データを収集しているときの被検体１１の頭部１１ａの位置を示す図である。
【００５２】
撮像領域ＦＯＶ１は、被検体１１の頭部１１ａが収まるように設定されている。コイル感度分布データの収集範囲Ｆcoilは、撮像領域ＦＯＶ１内において空間感度分布に応じた重付けを確実に行うことができるように、撮像領域ＦＯＶ１よりも広範囲に設定されている。ＭＲ装置制御手段２１（図１および図２参照）は、コイル感度分布データの収集範囲Ｆcoilからコイル感度分布データが収集されるように、ＭＲ装置１０を制御する。コイル感度分布データを収集した後、ステップＳ１２に進む。
【００５３】
ステップＳ１２では、Parallel
Imaging法により、被検体１１の頭部１１ａを撮影する。しかし、本スキャン開始前に被検体１１が動いてしまうことによって、被検体１１の頭部１１ａの位置が、ステップＳ１１でコイル感度分布データを収集したときの頭部１１ａの位置からずれることがある（図１１参照）。
【００５４】
図１１は、本スキャン開始前に被検体１１の頭部１１ａの位置がずれた様子を示す図である。
【００５５】
ステップＳ１１でコイル感度分布データを収集したときの頭部１１ａの位置は、破線で示されており（図１０参照）、被検体１１が本スキャン開始前に動いた後の頭部１１ａの位置は、実線で示されている。被検体１１の頭部１１ａが、破線の位置から実線の位置にずれた状態で、本スキャンが実行されると、ステップＳ１３において、以下のような画像が表示される（図１２参照）。
【００５６】
図１２は、被検体１１の頭部１１ａが破線の位置から実線の位置にずれた場合に、モニタ３１の表示画面３１０に表示される画像５１１を概略的に示す図である。
【００５７】
表示画面３１０には、画像５１１が表示されている。破線５１１ｃは、ステップＳ１１においてコイル感度分布データを収集したときの頭部１１ａの位置である。画像５１１は、白抜きで示された画像部分５１１ａと、斜線で示された画像部分５１１ｂとを有している。画像部分５１１ａは、破線５１１ｃで囲まれた領域に重なる部分であり、画像部分５１１ｂは、破線５１１ｃで囲まれた領域の外側の部分である。画像部分５１１ａは、コイル感度分布データによる空間感度分布の重付けが行われる部分であるので、比較的鮮明に表示される。しかし、画像部分５１１ｂは、コイル感度分布データを収集したときの頭部１１ａの位置からずれているので、不鮮明に表示される。このように、被検体１１の頭部１１ａが動いた場合、画像５１１には、体動アーチファクトが発生する。図１２に示す画像５１１が表示された後、ステップＳ１４に進む。
【００５８】
操作者２９は、画像５１１の体動アーチファクトを除去するために、アーチファクト除去実行ボタン３１２をクリックする。ボタン３１２がクリックされると、ステップＳ１４から、ステップＳ１６に進み、表示制御手段４５（図２参照）の制御によって、モニタ３１は以下のような画面を表示する（図１３参照）。
【００５９】
図１３は、アーチファクト除去実行ボタン３１２（図１２参照）がクリックされた場合にモニタ３１が表示する表示画面３１０を示す図である。
【００６０】
表示画面３１０には、コイル感度分布データが収集済みであることを意味する収集済みボタン３１４と、コイル感度分布データが収集されていないことを意味する未収集ボタン３１５とが表示される。図１３に示す画面が表示された後ステップＳ１７に進む。
【００６１】
ステップＳ１７では、操作者２９は、収集済みボタン３１４か未収集ボタン３１５をクリックする。本実施形態では、ステップＳ１１でコイル感度分布データが既に収集されている。したがって、操作者２９は、収集済みボタン３１４をクリックする。収集済みボタン３１４がクリックされると、ステップＳ１８に進む。
【００６２】
ステップＳ１８では、表示制御手段４５（図２参照）が、モニタ３１に以下のような画面を表示する（図１４参照）。
【００６３】
図１４は、収集済みボタン３１４（図１３参照）がクリックされた場合にモニタ３１が表示する表示画面３１０を示す図である。
【００６４】
表示画面３１０には、２つのボタン３１６および３１７が表示される。ボタン３１６は、収集済みのコイル感度分布データを用いてアーチファクトを除去することを意味するボタンである。一方、ボタン３１７は、新たにコイル感度分布データを収集し、収集した新たなコイル感度分布を用いてアーチファクトを除去することを意味するボタンである。図１４に示す画面が表示された後ステップＳ１９に進む。
【００６５】
操作者２９は、収集済みのコイル感度分布データを用いて画像５１１に発生したアーチファクトを除去するのか、新たにコイル感度分布データを収集し、収集した新たなコイル感度分布を用いてアーチファクトを除去するのかを判断する。画像５１１に発生しているアーチファクトは、頭部１１ａの位置が、図１１に示す破線の位置から、実線の位置にずれたことにより発生した体動アーチファクトである。したがって、画像５１１からアーチファクトを除去するには、頭部１１ａが図１１に示す実線の位置に存在しているときに収集されたコイル感度分布データを用いる必要がある。しかし、ステップＳ１１で収集された収集済みのコイル感度分布データは、頭部１１ａが図１１に示す破線の位置に存在しているときに収集されたデータである。したがって、収集済みのコイル感度分布データを用いても、画像５１１から体動アーチファクトを除去することはできない。そこで、操作者２９は、画像５１１から体動アーチファクトを除去するためには、頭部１１ａが図１１に示す実線の位置に存在しているときのコイル感度分布データを収集する必要があると判断し、ボタン３１７をクリックする。ボタン３１７がクリックされると、ステップＳ２０に進む。
【００６６】
ステップＳ２０では、ボタン３１７がクリックされたことを受けて、コイル感度分布データ決定部４４１が、ＭＲ装置制御手段２１に、新たなコイル感度分布データを収集する命令を送る。ＭＲ装置制御手段２１は、この命令を受けて、新たなコイル感度分布データを収集する。新たなコイル感度分布データを収集している間、被検体１１の頭部１１ａは、図１１に示す実線の位置に存在している。したがって、画像５１１のアーチファクトを除去するのに適したコイル感度分布データが得られる。コイル感度分布データを収集した後、ステップＳ２１に進む。
【００６７】
ステップＳ２１では、コイル感度分布データ決定部４４１（図２参照）は、ボタン３１７がクリックされたことに応答して、アーチファクト除去部４４２（図２参照）に、ステップＳ２０で収集された新たなコイル感度分布データを用いて画像５１１の体動アーチファクトを除去する命令を送る。アーチファクト除去部４４２は、この命令に応答して、ステップＳ２０で収集された新たなコイル感度分布データを用いて画像５１１の体動アーチファクトを除去する。コイル感度分布データを用いて画像５１１の体動アーチファクトを除去する演算方法は、既知の技術であるので、この演算方法についての説明は省略する。アーチファクト除去部４４２の演算処理によって、画像５１１から、体動アーチファクトが除去される。その後、ステップＳ２２に進む。
【００６８】
ステップＳ２２では、表示制御手段４５（図２参照）の制御によって、モニタ３１は、体動アーチファクトが除去された画像を表示する（図１５参照）。
【００６９】
図１５は、体動アーチファクトが除去された画像５１１’を表示するモニタ３１の表示画面３１０の一例を示す図である。
【００７０】
図１５には、体動アーチファクトが除去された画像５１１’が表示される。その後、操作者２９は、撮影続行ボタン３１８又は終了ボタン３１９をクリックする。
【００７１】
上記のように、Parallel Imaging法で画像５１１に体動アーチファクトが発生しても、新たなコイル感度分布データを収集し、収集した新たなコイル感度分布データを用いることによって、画像５１１から体動アーチファクトが除去される。したがって、本スキャンを再度行わなくても、体動アーチファクトが除去された画像５１１’を得ることができ、本スキャンを再度行う手間を省くことができる。
【００７２】
本実施形態では、頭部１１ａを撮影しているが、本発明は、被検体１１の頭部１１ａ以外の部位を撮影した場合に発生するアーチファクトの除去にも適用することができる。
【００７３】
尚、図５〜図９および図１２〜図１５に、表示画面３１０が示されているが、図５〜図９および図１２〜図１５の表示画面３１０は一例であり、本発明の範囲内で、図５〜図９および図１２〜図１５とは異なる画面が表示されるようにしてもよい。また、本実施形態では、図５〜図９および図１２〜図１５に表示されている各種ボタンは、マウス３３の操作でクリックされているが、キーボード３２の操作で選択されたり、他のポインティングデバイスの操作でクリックおよび／又は選択されるようにしてもよい。
【図面の簡単な説明】
【００７４】
【図１】本発明の第１の実施形態のＭＲＩシステム１のブロック図である。
【図２】操作部３４の機能ブロックを示す図である。
【図３】ＭＲＩシステム１の処理フローを示す図である。
【図４】コイル感度分布データの収集範囲を概略的に示す図である。
【図５】モニタ３１の表示画面３１０に表示された画像の一例を示す図である。
【図６】撮影領域がＦＯＶ２に設定された場合に表示画面３１０に表示される画像４１１を示す図である。
【図７】アーチファクト除去実行ボタン３１２がクリックされた場合のモニタ３１の表示画面３１０を示す図である。
【図８】収集済みボタン３１４がクリックされた場合のモニタ３１の表示画面３１０を示す図である。
【図９】折返しアーチファクト４１１ａが除去された画像４１１’を表示するモニタ３１の表示画面３１０の一例を示す図である。
【図１０】コイル感度分布データを収集しているときの被検体１１の頭部１１ａの位置を示す図である。
【図１１】本スキャン中に被検体１１の頭部１１ａの位置がずれた様子を示す図である。
【図１２】被検体１１の頭部１１ａが、一点鎖線の位置から実線の位置にずれた場合にモニタ３１の表示画面３１０に表示される画像５１１を示す図である。
【図１３】アーチファクト除去実行ボタン３１２がクリックされた場合のモニタ３１の表示画面３１０を示す図である。
【図１４】収集済みボタン３１４がクリックされた場合のモニタ３１の表示画面３１０を示す図である。
【図１５】体動アーチファクトが除去された画像５１１’を表示するモニタ３１の表示画面３１０の一例を示す図である。
【符号の説明】
【００７５】
１  ＭＲＩシステム
１０  ＭＲ装置
１１  被検体
１１ａ  頭部
１２  マルチプル受信コイル
２０  制御装置
２１  ＭＲ装置制御手段
２２  データ処理手段
３０  操作装置
３１  モニタ
３２  キーボード
３３  マウス
３４  操作部
３４１  コイル感度分布データ決定手段
３４２  アーチファクト除去制御手段
３４３  アーチファクト除去手段
３４４  表示制御手段
【図１】
2010005232.tif 000003
【図２】
2010005232.tif 000004
【図３】
2010005232.tif 000005
【図４】
2010005232.tif 000006
【図５】
2010005232.tif 000007
【図６】
2010005232.tif 000008
【図７】
2010005232.tif 000009
【図８】
2010005232.tif 000010
【図９】
2010005232.tif 000011
【図１０】
2010005232.tif 000012
【図１１】
2010005232.tif 000013
【図１２】
2010005232.tif 000014
【図１３】
2010005232.tif 000015
【図１４】
2010005232.tif 000016
【図１５】
2010005232.tif 000017